(57)【要約】【課題】金属製厚板により形成された天板であっても、操作部に静電容量スイッチを採用することができ、操作部の操作性の向上と天板の美観の向上とを両立させることができるこんろを提供する。【解決手段】金属製板材により形成され、こんろ本体３の上部を覆って上面が平坦な天板６を設ける。天板６に、こんろバーナの作動を指示するための操作部１６を設ける。操作部１６は、天板６を貫通して形成された窓部１７と、窓部１７を閉塞するガラス板１８と、ガラス板１８の裏面に取付けられ、ガラス板を介して操作可能なタッチスイッチ３１とを備える。【選択図】図２
2006322674.tif 000002
【特許請求の範囲】
【請求項１】
コンロバーナを収容するコンロ本体と、金属製板材により形成され該コンロ本体の上部を覆って上面が平坦な天板と、該天板にコンロバーナの作動を指示するための操作部とを備えるコンロにおいて、
前記操作部は、天板を貫通して形成された窓部と、
該窓部を閉塞するガラス板と、
該ガラス板の裏面に取付けられ該ガラス板を介して操作可能なタッチスイッチとを備えることを特徴とするコンロ。
【請求項２】
前記天板は、厚手のアルミニウム板によって形成されていることを特徴とする請求項１記載のコンロ。
【請求項３】
前記天板は、裏面側に突出する複数の突条を有するアルミニウム製押出し成形材によって形成され、
前記操作部のタッチスイッチは、天板の前記突条間に配設されていることを特徴とする請求項１記載のコンロ。
【発明の詳細な説明】
【技術分野】
【０００１】
本発明は、コンロバーナの作動を指示するための操作部が天板に設けられているコンロに関する。
【背景技術】
【０００２】
従来、システムキッチンのカウンタトップに形成されたコンロ取り付け用開口にコンロ本体を埋設するドロップイン式のコンロにおいては、ガスバーナが収容されるコンロ本体の上面を覆う天板に、ガスバーナの点火／消火やその火力調節を行うための操作つまみが設けられているものが知られている（例えば特許文献１参照）。
【０００３】
この種のコンロによれば、前面に操作部を備えたコンロを設置する場合のように、カウンタトップの前面に操作部を臨ませる開口を設ける必要がなく、カウンタトップへのコンロの設置も容易に行うことができる。また、操作つまみが天板に設けられていることによって視認性が良く、ガスバーナの点火／消火や火力調節を行う際の使用者の操作性が高い。
【０００４】
しかし、操作つまみを天板に設けると、操作つまみが天板の上面に突出するために、調理時にガスバーナ上に鍋等の調理器を上げ下ろしする際に鍋等が操作つまみに干渉し易いだけでなく、天板の表面を掃除する際にも操作つまみが邪魔になる。また、ガスバーナの炎からの熱を受けて操作つまみの温度が比較的高くなり、操作時に使用者に不快感を与えるおそれもある。更には、金属製厚板により天板の上面を平坦に形成してフラット感を得ようとしても操作つまみの突出により天板のフラット感が阻害される不都合がある。
【０００５】
一方、それ以外に、コンロ本体の上面を覆う天板がガラス板により形成されているコンロにおいて、この天板の一部に、加熱ヒータの作動を指示するためのタッチスイッチを設けて操作部としたものが知られている（例えば、特許文献２参照）。
【０００６】
このものでは、ガラス天板の一部の表面に加熱ヒータの操作に対応するスイッチマークがプリントされ、タッチスイッチは、使用者が指でスイッチマークに触れたことを検出して操作に応じた加熱ヒータの作動が行えるようになっている。そして、タッチスイッチは天板の裏側に設けられていて前述した操作つまみのように天板の上面に突出しないので、調理の際や天板の掃除の際に邪魔になることはなく、また天板の外観を損ねることもない。
【０００７】
しかし、この種のタッチスイッチとしては静電容量式タッチスイッチ或いは赤外線感知式タッチスイッチが考えられるが、この種のタッチスイッチは、天板がガラス板により形成されているものにおいて採用可能となるものであり、金属製板材により形成された天板である場合にはこの種のタッチスイッチが採用できない不都合がある。
【特許文献１】特開２００４−２５１５００号公報
【特許文献２】特開平１０−２１４６７７号公報
【発明の開示】
【発明が解決しようとする課題】
【０００８】
かかる不都合を解消して、本発明は、金属製板材により形成された天板であっても、操作部にタッチスイッチを採用することができ、操作部の操作性の向上と天板の美観向上による高級感を得ることとを両立させることができるコンロを提供することを目的とする。
【課題を解決するための手段】
【０００９】
かかる目的を達成するために、本発明は、コンロバーナを収容するコンロ本体と、金属製板材により形成され該コンロ本体の上部を覆って上面が平坦な天板と、該天板にコンロバーナの作動を指示するための操作部とを備えるコンロにおいて、前記操作部は、天板を貫通して形成された窓部と、該窓部を閉塞するガラス板と、該ガラス板の裏面に取付けられ該ガラス板を介して操作可能なタッチスイッチとを備えることを特徴とする。
【００１０】
本発明における天板は、金属製板材によって形成され、天板の上面が平坦に形成されている。そして、この天板に設けられた前記操作部は、天板を貫通して形成された前記窓部に前記ガラス板を設けて該窓部を閉塞する。これによって、ガラス板の裏面に静電容量式タッチスイッチや赤外線感知式タッチスイッチを設けることができ、天板が金属製板材であっても支障なくタッチスイッチを採用することができる。そして、窓部のガラス板とタッチスイッチとで構成される前記操作部は、天板上に突出することなく設けられるので、天板の有するフラット感が操作部によって阻害されることなくコンロの外観を良好に維持することができ、また、従来の操作つまみのように調理や掃除に際して邪魔になることはなく、更に、天板の上方から操作が行えるので高い操作性を得ることができる。しかも、操作部は熱伝導率が低いガラス板により構成されているので、天板よりも低い温度に抑えられ、快適に接触操作することができる。
【００１１】
また、本発明における天板の金属材料としては、ステンレス鋼、スチール鋼、黄銅、銅等が挙げられるが、特に、天板を厚手のアルミニウム板又はアルミニウム製押出し成形材によって形成することが好ましい。
【００１２】
天板を厚手のアルミニウム板とすれば、他の金属板に比べて比重が小であるため取り扱いが容易となり、また、加工性も良いため前記窓部を容易に加工形成することができる。更に詳しくは、天板の材料として用いるアルミニウム板の板厚寸法は、４〜８mmであることが好ましい。４mmより薄いアルミニウム板は厚手とはいい難く、天板として採用した場合には十分な重厚感が得られない場合がある。一方、８mmより厚いアルミニウム板を天板として採用した場合には十分な重厚感が得られる反面、天板が過剰に重くなり、設置作業時等の取扱いが困難となるおそれがある。このことから、天板とするアルミニウム板の厚みを４〜８mmとすることで、視覚的な重厚感を得ることができ、美観を向上させて金属製の天板でも高級感をかもし出すことができる。
【００１３】
また、天板を裏面側に突出する複数の突条を有するアルミニウム製押出し成形材とすれば、比較的肉薄でも突条により剛性が確保され、熱による歪や撓みも殆ど発生せず、更に、突条の突出高さ分の肉厚があるように見え、軽量でありながら重厚感が得られ、体裁が良好になる。このとき、前記操作部のタッチスイッチを天板の前記突条間に配設されていること突条間に配設することで、タッチスイッチの位置決めが容易となって製造上の効率も向上する。
【発明を実施するための最良の形態】
【００１４】
本発明の一実施形態について図面に基づいて説明する。図１は本実施形態のコンロを示す説明的斜視図、図２は操作部とその近傍の断面説明図、図３は操作部の平面図、図４は天板の他の形態を示す断面説明図である。
【００１５】
本実施形態のコンロ１は、図１に示すように、システムキッチンのカウンタトップ２に設けられる。図２に一部を示すように、コンロ本体３は上部が開口され、その周縁に形成されたフランジ４を、カウンタトップ２に形成されたコンロ設置用開口５の周縁に掛止することによりコンロ設置用開口５に設置される。
【００１６】
コンロ１の天板６は、図１に示すように、カウンタトップ２上に露出する。該天板６は単一の金属製厚板により形成されており、その上面は平坦に形成されている。本実施形態における天板６の材料は、厚手のアルミニウム板（板厚寸法は４〜８mm）が採用されている。天板６は、図２に示すように、コンロ本体３のフランジ４の外周において天板載置用シール部材７を介してカウンタトップ２上に載置されている。
【００１７】
図１に示すように、天板６の後部には肉薄部８が形成されている。肉薄部８は、その後端側が折曲げ部９を介して斜め上方に折り曲げられ、肉薄部８の下方空間によりコンロ本体３の内部に燃焼用空気を取り入れる空気取入部１０が形成されている。肉薄部８は、天板６が金属製厚板であることにより該天板６の下面側を切削加工等により削り取ることで容易に形成することができ、折曲げ部９も肉薄部８に設けることで容易に折り曲げ加工を施すことができる。なお、本実施形態の天板６においては、肉薄部８を設けたことにより天板６の後方裏側に空隙が形成されるので、肉薄部８の下方から燃焼用空気を取り入れることができる。これによって、天板６のフラット感を強調する意匠が望まれる場合には、図示しないが、肉薄部８を折り曲げずに平坦な状態としてもよい。
【００１８】
また、図１に示すように、天板６には、左バーナ１１と右バーナ１２とに対応して一対のバーナ用開口１３が形成されている。各バーナ用開口１３の周縁部には、環状の汁受け部材１４と五徳１５が載置され、天板６の前端部側には、使用者がバーナ１１，１２の作動を指示するための操作部１６が設けられている。
【００１９】
該操作部１６は、図２に示すように、天板６を貫通して形成された窓部１７に設けられ、窓部１７を閉塞するガラス板１８と、ガラス板１８の裏面に設けられた操作基板ユニット１９とによって構成されている。ガラス板１８は、耐熱性に優れた光透過性の結晶化ガラス或いは強化ガラスによって形成され、窓部１７の裏面側周縁部の段差２０に嵌め込まれ、シリコンコーキング材２１により固定されている。窓部１７の上部周縁は、面取り加工が施され、天板６上面とガラス板１８上面との段差を緩和している。
【００２０】
操作部１６のガラス板１８の上面には、図３に示すように、各バーナ１１，１２の作動に対応した複数のマークが設けられている。各マークについて簡単に説明すれば、２２は左バーナ１１の点火や消火、火力の強弱調節を行う左バーナ用作動指示マーク群、２３は右バーナ１２の点火や消火、火力の強弱調節を行う左バーナ用作動指示マーク群である。また、左バーナ用作動指示マーク群２２の近傍には、左バーナ１１の作動時に点灯する作動表示２４や調節火力に応じた火力表示２５が設けられ、右バーナ用作動指示マーク群２３の近傍には、右バーナ１２の作動時に点灯する作動表示２６や調節火力に応じて点灯する火力表示２７が設けられている。更に、左バーナ用作動指示マーク群２２と右バーナ用作動指示マーク群２３との間には、コンロ１に電源が投入された状態で操作の可否を切り換える運転スイッチマーク２８が設けられ、運転スイッチマーク２８の近傍には、運転スイッチマーク２８の操作に応じて点灯する操作可能表示２９と操作不可表示３０とが設けられている。
【００２１】
そして、図２に示すように、前記操作基板ユニット１９は、前記の各マークに対応して作動する複数の静電容量式タッチスイッチ３１と、各表示の点灯を行う複数のＬＥＤ３２とを備えている。各静電容量式タッチスイッチ３１は、ガラス板１８の上面の各マークに静電体、即ち使用者の指等が触れることにより、各マークに対応するＯＮ・ＯＦＦ動作を行う。操作基板ユニット１９は、コンロ本体３に底部に設けられた制御ユニット３３に接続されており、制御ユニット３３によって各操作に応じたバーナ１１，１２の作動が制御される。なお、本実施形態では静電容量式タッチスイッチ３１を採用したが、窓部１７にガラス板１８を採用していることによって、静電容量式タッチスイッチ３１に替えて赤外線感知式タッチスイッチを採用することも可能である。
【００２２】
以上のように、本実施形態のコンロ１は、天板６が厚手のアルミニウム板製であっても、操作部１６としてその一部にガラス板１８を設けて静電容量式タッチスイッチ３１（或いは赤外線感知式タッチスイッチ）を採用することができる。また、操作部１６にガラス板１８を設けたことにより、天板６の温度が上昇しても操作部１６のガラス板１８は高温になりにくく、快適に操作することができる。そして、天板６の上面を平坦に維持することができるので、視覚的な重厚感やフラット感が良好に得られ、天板６の有する美観を一層向上させて高級感をかもし出すことができる。更に、操作部１６が天板６に設けられて操作性が高いだけでなく、操作部１６が従来の操作つまみのように天板６上に突出しないので、調理や掃除に際して邪魔になることもない。
【００２３】
なお、本実施形態において示した操作部１６は、天板６の前縁側略中央に位置しているが、操作部１６の位置はこれに限るものではなく、図示しないが、例えば、天板６の右側縁寄りや左側縁寄り等の使い勝手を考慮して適宜選択された位置に設けることができる。
【００２４】
また、本実施形態においては、厚手のアルミニウム板による天板６を示したが、厚手のアルミニウム板以外に、図４に示すように、アルミニウム製押出し成形材により形成された天板３４を採用することができる。該天板３４は、平面視方形の天板本体３５と、天板本体３５の左右側の開放辺部の夫々に装着されるカバー部材３６とで構成される。天板本体３５は、平板状の天面部３７と、天面部３７の下面に突出する複数の突条３８，３９とを有しており、各突条３８，３９は、押出し成形で、左右方向に延在するように天面部３７と一体に形成されている。前後の各最外側に位置する突条３９は天面部３７の前後の各側辺から垂下して外側壁を形成している。そして、内部に形成されている一対の突条３８，３８間には、操作部１６が設けられている。操作部１６は前述したものと同様の構成による窓部１７、ガラス板１８、及び操作基板ユニット１９からなる。特に、操作基板ユニット１９は一対の突条３８，３８間に収容されて位置決めされている。
【００２５】
このように、アルミニウム製押出し成形材により形成された天板３４は、突条３８，３９により十分な剛性が得られるため比較的肉薄に形成することができて軽量化することができ、材料費が削減できて安価に形成することができる。それだけでなく、突条３９の突出高さ分の肉厚があるように見え、軽量でありながら重厚感を得ることができる。
【００２６】
なお、本実施形態において示した上述の天板６，３４を構成する金属製板材については、表面処理を施してあるものを採用してもよい。
【図面の簡単な説明】
【００２７】
【図１】本発明の一実施形態のコンロを示す説明的斜視図。
【図２】操作部とその近傍の断面説明図。
【図３】操作部の平面図。
【図４】天板の他の形態を示す断面説明図。
【符号の説明】
【００２８】
１…コンロ、３…コンロ本体、６，３４…天板、１１…左バーナ（コンロバーナ）、１２…右バーナ（コンロバーナ）、１６…操作部、１７…窓部、１８…ガラス板、３１…静電容量式タッチスイッチ（タッチスイッチ）、３８，３９…突条。
【図１】
2006322674.tif 000003
【図２】
2006322674.tif 000004
【図３】
2006322674.tif 000005
【図４】
2006322674.tif 000006